(57)【要約】【課題】エレベータかご内換気制御システムにおいて、停電前の換気状態を停電後の換気装置の作動状態に反映させ、停電発生時でも停電直前の環境に近い快適な環境を乗りかご内の利用者に提供することである。【解決手段】乗りかご１６に設け、交流電源装置１２からの電力により作動される換気装置１８と、バッテリ１４と換気装置１８との間に設けられ、接続により、バッテリ１４から換気装置１８への電力の供給を可能とする切換スイッチ２０と、交流電源装置１２の電圧異常を検出する電圧監視装置２４と、交流電源装置１２の電圧異常が検出された場合に電圧異常検出前の換気装置１８の最新の作動状態を記憶手段から取得する正常時作動状態取得手段と、交流電源装置１２の電圧異常検出後に、換気装置１８の最新の作動状態に応じて切換スイッチ２０の接続状態を制御する接続制御手段とを備える。【選択図】図１
2011121767.tif 000002
【特許請求の範囲】
【請求項１】
エレベータの乗りかごに設けられ、交流電源装置からの電力により作動される換気装置と、
バッテリと換気装置との間に設けられ、接続により、バッテリから換気装置への電力の供給を可能とする接続手段と、
換気装置の作動状態を記憶する記憶手段と、
交流電源装置の電圧異常を検出する電圧異常検出手段と、
交流電源装置の電圧異常が検出された場合に電圧異常検出前の換気装置の最新の作動状態を記憶手段から取得する取得手段と、
交流電源装置の電圧異常検出後に、換気装置の最新の作動状態に応じて接続手段の接続状態を制御する接続制御手段とを備えることを特徴とするエレベータかご内換気制御システム。
【請求項２】
請求項１に記載のエレベータかご内換気制御システムにおいて、
接続手段は、交流電源装置及びバッテリと、換気装置との間に設けられ、交流電源装置及び換気装置の接続と、バッテリ及び換気装置の接続とを切換可能とする切換スイッチであることを特徴とするエレベータかご内換気制御システム。
【請求項３】
請求項１または請求項２に記載のエレベータかご内換気制御システムにおいて、
乗りかご内の利用者の所定時間当たりの動き量を検出する動き量検出手段と、
交流電源装置の電圧異常検出後であって、接続制御手段による接続手段の制御後に、動き量検出手段により検出された所定時間当たりの動き量が閾値以下である場合に、換気装置を作動させた状態とし、交流電源装置の電圧異常検出後に動き量検出手段により検出された所定時間当たりの動き量が閾値を超える場合に、換気装置の風量を小さくするかまたは換気装置を停止させるように、換気装置の作動状態を制御する換気装置作動制御手段とを備えることを特徴とするエレベータかご内換気制御システム。
【請求項４】
請求項３に記載のエレベータかご内換気制御システムにおいて、
動き量検出手段は、乗りかご内の利用者の重量を検出するための重量検出センサを含むことを特徴とするエレベータかご内換気制御システム。
【発明の詳細な説明】
【技術分野】
【０００１】
本発明は、エレベータの乗りかごに設けられ、交流電源装置からの電力により作動される換気装置と、バッテリと換気装置との間に設けられ、接続により、バッテリから換気装置への電力の供給を可能とする接続手段とを備えるエレベータかご内換気制御システムに関する。
【背景技術】
【０００２】
従来からエレベータの乗りかごに換気装置を設けることが考えられている。換気装置は、乗りかご内と外部との間で換気を行う機能を有する。換気装置は、外部交流電源である建物内の交流電源装置から電力の供給を受ける。このため、停電が発生した場合に、交流電源装置の電力供給が停止されると、換気装置の作動も停止されてしまう。この場合、乗りかご内に利用者がいる場合に、乗りかご昇降装置の運転も駆動が停止されるため、乗りかご内に利用者が閉じ込められたままの状態となる。また、乗りかごに設けた停電灯は非常用電源により点灯するが、換気装置の長時間の停止により利用者が不快感を感じる可能性がないとはいえない。特に、夏場の場合、乗りかご内の温度はかなり上昇する可能性があり、換気装置の長時間の停止は利用者の体調確保の面から好ましくない場合がある。このために、従来から電力供給装置の電力供給が停止された場合には、非常用電源としてのバッテリから換気装置への電力供給を開始し、換気装置を作動させることにより、停電時でも乗りかご内の換気を行うことが考えられている。
【０００３】
例えば、特許文献１に記載されたエレベータかご内換気制御システムでは、交流電源装置と吸気用換気ファン及び排気用換気ファンとの間に、交直変換器と電源切換スイッチとを設けるとともに、交流電源装置の出力電圧を監視し、電圧正常時には電源切換スイッチの切換接点を交直変換器側となるように制御し、電圧異常時には電源切換スイッチの接点をバッテリ側となるように制御している。
【０００４】
また、特許文献２に記載されたエレベータかご内換気制御装置では、エレベータ故障または外部電源装置が検出されたときに換気装置を強制的に始動する強制始動スイッチを備えている。
【先行技術文献】
【特許文献】
【０００５】
【特許文献１】特開２００８−７４５９９号公報
【特許文献２】特開平９−７７４３０号公報
【発明の概要】
【発明が解決しようとする課題】
【０００６】
上記の特許文献１，２に記載されたエレベータかご内換気制御システム及び装置の場合、停電発生時には、乗りかごに設けられた換気装置が、バッテリからの電力により強制的に駆動される。ただし、夏場等の暑い場合ではなく、冬場等の寒い場合には換気装置の作動をそもそも停止させている場合もあり、この場合に停電発生時に換気装置を強制的に作動させることは、利用者が望んでいないだけでなく、逆に、利用者が寒さを感じ、不快感を与える可能性もないとはいえない。
【０００７】
本発明の目的は、エレベータかご内換気制御システムにおいて、停電前の換気状態を停電後の換気装置の作動状態に反映させ、停電発生時でも停電直前の環境に近い快適な環境を乗りかご内の利用者に提供することを目的とする。
【課題を解決するための手段】
【０００８】
本発明に係るエレベータかご内換気制御システムは、エレベータの乗りかごに設けられ、交流電源装置からの電力により作動される換気装置と、バッテリと換気装置との間に設けられ、接続により、バッテリから換気装置への電力の供給を可能とする接続手段と、換気装置の作動状態を記憶する記憶手段と、交流電源装置の電圧異常を検出する電圧異常検出手段と、交流電源装置の電圧異常が検出された場合に電圧異常検出前の換気装置の最新の作動状態を記憶手段から取得する取得手段と、交流電源装置の電圧異常検出後に、換気装置の最新の作動状態に応じて接続手段の接続状態を制御する接続制御手段とを備えることを特徴とするエレベータかご内換気制御システムである。
【０００９】
本発明に係るエレベータかご内換気制御システムによれば、停電前の換気状態を停電後の換気装置の作動状態に反映させることができ、停電発生時でも停電直前の環境に近い快適な環境を乗りかご内の利用者に提供できる。すなわち、停電直前に換気装置が作動していた場合に、停電後もバッテリの電力により換気装置を作動させ続けることができるとともに、停電直前に換気装置が作動停止していた場合には、停電後も換気装置を作動停止のままの状態とすることができ、停電後に換気装置が強制作動されることがない。このため、冬場等、低温環境下で、停電前に換気装置を作動停止している場合に、停電後に換気装置が作動することがなく、乗りかご内の利用者に、より快適な環境を提供できる。
【００１０】
また、本発明に係るエレベータかご内換気制御システムにおいて、好ましくは、接続手段は、交流電源装置及びバッテリと、換気装置との間に設けられ、交流電源装置及び換気装置の接続と、バッテリ及び換気装置の接続とを切換可能とする切換スイッチである。
【００１１】
また、本発明に係るエレベータかご内換気制御システムにおいて、好ましくは、乗りかご内の利用者の所定時間当たりの動き量を検出する動き量検出手段と、交流電源装置の電圧異常検出後であって、接続制御手段による接続手段の制御後に、動き量検出手段により検出された所定時間当たりの動き量が閾値以下である場合に、換気装置を作動させた状態とし、交流電源装置の電圧異常検出後に動き量検出手段により検出された所定時間当たりの動き量が閾値を超える場合に、換気装置の風量を小さくするかまたは換気装置を停止させるように、換気装置の作動状態を制御する換気装置作動制御手段とを備える。
【００１２】
上記構成によれば、乗りかご内の利用者の動き量に基づいて、換気装置の作動状態を制御するため、停電後の利用者の温度の感じ方に換気装置の作動状態を対応させることができ、より快適な環境を提供できる。
【００１３】
また、本発明に係るエレベータかご内換気制御システムにおいて、好ましくは、動き量検出手段は、乗りかご内の利用者の重量を検出するための重量検出センサを含む。
【発明の効果】
【００１４】
本発明に係るエレベータかご内換気制御システムによれば、停電前の換気状態を停電後の換気装置の作動状態に反映させることができ、停電発生時でも停電直前の環境に近い快適な環境を乗りかご内の利用者に提供できる。
【図面の簡単な説明】
【００１５】
【図１】本発明に係る第１の実施の形態のエレベータかご内換気制御システムを示す構成図である。
【図２】第１の実施の形態のシステムの、コントローラを詳しく示す構成図である。
【図３】第１の実施の形態のシステムを用いて、換気装置の作動状態を制御する方法を示すフローチャートである。
【図４】本発明に係る第２の実施の形態のエレベータかご内換気制御システムを示す構成図である。
【図５】第２の実施の形態のシステムの、コントローラを詳しく示す構成図である。
【図６】第２の実施の形態のシステムを用いて換気装置の作動状態を制御する方法を示すフローチャートである。
【図７】第２の実施の形態において、重量センサにより検出された、利用者重量検出値の時間的変化の１例を示す図である。
【発明を実施するための形態】
【００１６】
［第１の発明の実施の形態］
以下において、図面を用いて本発明に係る実施の形態につき詳細に説明する。図１から図３は、本発明の第１の実施の形態を示している
【００１７】
図１に示すように、エレベータかご内換気制御システム１０は、交流電源装置１２と、バッテリ１４と、エレベータの乗りかご１６に設けられた換気装置１８と、接続手段である切換スイッチ２０と、コントローラ２２と、電圧異常検出手段である電圧監視装置２４と、交直変換器２６と、操作部２８とを備える。交流電源装置１２は、機械室が設置されるエレベータシステムでは、機械室内の制御盤に設けられる。また、機械室が設置されないエレベータシステムでは、乗場周辺部または昇降路内に設置される。交流電源装置１２は、建物内の受電設備から入力される交流電力に基づき、所定電圧及び所定周波数の交流電力を出力する。
【００１８】
また、乗りかご１６の上部に換気装置１８を設けている。換気装置１８は、図示のように換気ファンを１つのみ設けてもよく、また、吸気用換気ファンと排気用換気ファンとを１つずつ設けてもよい。また、乗りかご１６の上部に交直変換器２６と、バッテリ１４と、切換スイッチ２０と、電圧監視装置２４と、コントローラ２２とを設けている。
【００１９】
交直変換器２６は、交流電源装置１２からの交流電力を直流電力に変換して出力する。交直変換器２６の出力側Ｐは、換気装置１８と、切換スイッチ２０を介して接続している。また、交直変換器２６の出力側Ｐをバッテリ１４の入力側Ｑに接続し、バッテリ１４の出力側Ｒと換気装置１８との間に切換スイッチ２０を設けている。すなわち、切換スイッチ２０は、交流電源装置１２及びバッテリ１４と、換気装置１８との間に設けられる。切換スイッチ２０は、例えばリレーであり、コントローラ２２により切換が制御される。切換スイッチ２０は、切換接点３０を有し、切換接点３０は通常時には交直変換器２６と換気装置１８とをバッテリ１４を介さずに接続するように位置するが、コントローラ２２の制御信号に応じて、バッテリ１４の出力側Ｒと換気装置１８とを接続するように切換可能としている。
【００２０】
したがって、切換スイッチ２０は、交流電源装置１２及び換気装置１８の接続と、バッテリ１４及び換気装置１８の接続とを選択的に切換可能としている。また、通常時には、交流電源装置１２からの電力により換気装置１８は作動される。この場合、バッテリ１４には、交流電源装置１２からの出力電圧の印加により、直流電力が蓄電される。また、切換スイッチ２０の切換によりバッテリ１４及び換気装置１８が接続されることにより、バッテリ１４から換気装置１８への電力の供給が可能となり、換気装置１８はバッテリ１４からの電力により作動される。
【００２１】
また、電圧監視装置２４は、交流電源装置１２の出力電圧を監視し、すなわち検出し、停電等により出力電圧が異常に低下する等、電圧異常が検出された場合にその電圧異常を表す検出信号をコントローラ２２へ出力する。なお、電圧監視装置２４の一部を、コントローラ２２の一部として構成することもできる。また、操作部２８は、乗りかご１６内に設けられ、通常施錠されている図示しないかご内操作パネル内に設けられている。したがって、通常、かご内操作パネルの鍵を有する、エレベータの保守管理会社の作業員のみが操作部２８を操作可能である。操作部２８のオンオフ状態を表す信号はコントローラ２２へ入力され、コントローラ２２は、その信号に応じて、交直変換器２６及びバッテリ１４と換気装置１８との間に設けられた図示しないオンオフスイッチの接続及び遮断を切り換える。
【００２２】
コントローラ２２は、ＣＰＵ、メモリ等を有するマイクロコンピュータを含む制御部である。図２に示すように、コントローラ２２は、記憶手段３２と、正常時作動状態取得手段３４と、接続制御手段３６とを含む。記憶手段３２は、換気装置１８の作動状態を記憶する。すなわち、記憶手段３２は、操作部２８の操作に基づいて、操作部２８のオンオフ状態が切り換えられた場合に最新のオンオフ状態を表すデータを、換気装置１８の作動状態を表すデータとして記憶手段３２に記憶する。この場合、記憶手段３２に以前に記憶させていたオンオフ状態を表すデータは、最新のオンオフ状態を表すデータに更新する。
【００２３】
また、正常時作動状態取得手段３４は、停電発生等により、交流電源装置１２の電圧異常が電圧監視装置２４により検出された場合に、記憶手段３２に記憶させていた、電圧異常検出前の正常時の換気装置１８の最新の作動状態、すなわち最新のオンオフ状態を取得する。
【００２４】
また、接続制御手段３６は、交流電源装置１２の電圧異常検出後に、正常時作動状態取得手段３４で取得された、換気装置１８の最新の作動状態に応じて切換スイッチ２０の接続状態を制御する。すなわち、電圧異常検出後に、取得された正常時の換気装置１８の最新の作動状態がオン状態、すなわち、換気装置１８が作動状態であることが取得された場合には、接続制御手段３６は、切換スイッチ２０をバッテリ１４と換気装置１８とを接続する側に切り換えるよう切換スイッチ２０を制御し、バッテリ１４から換気装置１８へ電力を供給する。これにより、換気装置１８がバッテリ１４により作動される。
【００２５】
これに対して、電圧異常検出後に、取得された正常時の換気装置１８の最新の作動状態がオフ状態、すなわち、換気装置１８が作動停止状態であることが取得された場合には、接続制御手段３６は、切換スイッチ２０を交直変換器２６と換気装置１８とを接続したままの状態とするよう切換スイッチ２０を制御する。したがって、この場合には、オンオフスイッチの接続状態にかかわらず換気装置１８は作動されない。
【００２６】
次に、本実施の形態のシステムを用いて切換スイッチ２０を制御する方法を、図３のフローチャートを用いて説明する。なお、以下の本実施の形態の説明では、図１，２に示した要素と同一の要素には同一の符号を付して説明する。まず、ステップＳ１０（以下の説明では、ステップＳは、単にＳとする。）において、電圧異常が検出されない、交流電源装置１２の電圧正常時には、換気装置１８の作動状態を表すデータを、操作部２８のオンオフの切り換えに応じて更新するように記憶手段３２に記憶させる。次に、Ｓ１２において、電圧監視装置２４により交流電源装置１２の出力電圧の異常が検出された場合には、Ｓ１４に移行し、正常時作動状態取得手段３４が、換気装置１８の最新の作動状態を、記憶手段３２から取得する。
【００２７】
次いで、Ｓ１６で、接続制御手段３６が、交流電源装置１２の電圧異常検出後に、正常時作動状態取得手段３４で取得された、換気装置１８の最新の作動状態から、最新の作動状態がオン、すなわち作動中であったか否かを判定する。この判定により、正常時の換気装置１８の最新の作動状態がオンであると判定された場合には、接続制御手段３６は、切換スイッチ２０をバッテリ１４の出力側Ｒと換気装置１８とを接続する側に切り換えるよう、切換スイッチ２０を制御し、バッテリ１４から換気装置１８へ電力を供給し、処理を終了する。この結果、換気装置１８は作動される。
【００２８】
これに対して、Ｓ１６の判定により、正常時の換気装置１８の最新の作動状態がオフであると判定された場合には、接続制御手段３６は、切換スイッチ２０を交直変換器２６と換気装置１８とを接続したままの状態とするよう切換スイッチ２０を制御する。すなわち、バッテリ１４の出力側Ｒと換気装置１８との接続を遮断し、処理を終了する。したがって、この場合には、オンオフスイッチの接続状態にかかわらず換気装置１８は作動が停止されたままとなる。
【００２９】
なお、Ｓ１８，Ｓ２０の処理後、電圧監視装置２４により交流電源装置１２の出力電圧が正常に復帰したか否かを判定し、正常に復帰したと判定された場合に、換気装置１８の通常時制御に移行する工程を備えるようにすることもできる。
【００３０】
このようなエレベータかご内換気制御システム１０によれば、停電前の換気状態を停電後の換気装置１８の作動状態に反映させることができ、停電発生時でも停電直前の環境に近い快適な環境を利用者に提供できる。すなわち、停電直前に換気装置１８が作動していた場合に、停電後もバッテリ１４の電力により換気装置１８を作動させ続けることができるとともに、停電直前に換気装置１８が作動停止していた場合には、停電後も換気装置１８を作動停止のままの状態とすることができ、停電後に換気装置１８が強制作動されることがない。このため、冬場等、低温環境下で、停電前に換気装置１８を作動停止している場合に、停電後に換気装置１８が作動することがなく、乗りかご１６内の利用者に、より快適な環境を提供できる。
【００３１】
［第２の発明の実施の形態］
図４は、本発明に係る第２の実施の形態のエレベータかご内換気制御システムを示す構成図である。図５は、第２の実施の形態のシステムの、コントローラを詳しく示す構成図である。図６は、第２の実施の形態のシステムを用いて、換気装置の作動状態を制御する方法を示すフローチャートである。図７は、第２の実施の形態において、重量センサにより検出された、利用者重量検出値の時間的変化の１例を示す図である。
【００３２】
図４に示すように、本実施の形態の場合には、上記の第１の実施の形態において、交直変換器２６の出力側Ｐ１は、換気装置１８と、オンオフスイッチ３８を介して接続している。オンオフスイッチ３８は、操作部２８からのオンオフ状態を表す信号がコントローラ２２に入力されることに応じて、コントローラ２２がオンオフスイッチ３８の接続状態を制御する。
【００３３】
また、交直変換器２６の出力側Ｐ２をバッテリ１４の入力側Ｑに接続し、バッテリ１４の出力側Ｒと換気装置１８との間に、接続手段である第２オンオフスイッチ４０を設けている。すなわち、第２オンオフスイッチ４０は、バッテリ１４と換気装置１８との間に設けられる。第２オンオフスイッチ４０は、コントローラ２２により接続状態が制御される。第２オンオフスイッチ４０は、切換接点４２を有し、切換接点４２は交流電源装置１２の出力電圧の異常がない、通常時には接続が遮断されるように位置するが、コントローラ２２の制御信号に応じて、バッテリ１４と換気装置１８とを接続するように制御される。
【００３４】
したがって、通常時には、交流電源装置１２からの電力により換気装置１８が作動される。また、第２オンオフスイッチ４０の接続によりバッテリ１４及び換気装置１８が接続されると、バッテリ１４から換気装置１８への電力の供給が可能となり、換気装置１８はバッテリ１４からの電力により作動される。
【００３５】
また、エレベータかご内換気制御システム１０は、乗りかご１６内の利用者の重量を検出するための重量センサ４４を備える。重量センサ４４は、乗りかご１６の鉛直方向上方に設けている。重量センサ４４の検出値を表す信号は、コントローラ２２へ入力される。重量センサ４４の実計測値は、乗りかご１６に乗っている利用者等の物体の重さに加え、乗りかご１６自体の重量及びロープ等、乗りかご１６内の重量以外の重量が加算される。このため、実計測値を表す信号を入力されたコントローラ２２が、実計測値から、乗りかご１６内重量以外の重量を差し引くことにより、乗りかご１６内利用者の重量を求めることができる。なお、重量センサ４４は、乗りかご１６の底板部と床材との間に設けて、乗りかご１６内の利用者の重量に近い重量を、そのまま検出するように構成することもできる。
【００３６】
また、図５に示すように、コントローラ２２は、記憶手段３２と、正常時作動状態取得手段３４と、接続制御手段３６と、動き量演算手段４６と、換気装置作動制御手段４８とを含む。記憶手段３２と、正常時作動状態取得手段３４と、接続制御手段３６との機能は、上記の第１の実施の形態と同様である。例えば、接続制御手段３６は、交流電源装置１２の停電等による電圧異常検出後に、正常時作動状態取得手段３４で取得された、換気装置１８の最新の作動状態に応じて第２オンオフスイッチ４０の接続状態を制御する。すなわち、電圧異常検出後に、取得された正常時の換気装置１８の最新の作動状態がオン状態、すなわち、換気装置１８が作動状態であることが取得された場合には、接続制御手段３６は、第２オンオフスイッチ４０を接続状態とするように制御し、バッテリ１４と換気装置１８とを第２オンオフスイッチ４０を介して接続する。これにより、バッテリ１４から換気装置１８へ電力が供給され、換気装置１８が作動される。
【００３７】
これに対して、電圧異常検出後に、取得された正常時の換気装置１８の最新の作動状態がオフ状態、すなわち、換気装置１８が作動停止状態であることが取得された場合には、接続制御手段３６は、第２オンオフスイッチ４０を接続遮断状態となるよう制御する。これにより、バッテリ１４から換気装置１８へ電力が供給されず、換気装置１８は作動停止したままの状態が維持される。
【００３８】
また、動き量演算手段４６は、重量センサ４４の検出値から、乗りかご１６内の利用者の所定時間当たりの動き量、すなわち重量変動の検出値を検出する。この動き量は、利用者の体感温度に対応する。すなわち、利用者が寒いと感じている場合には利用者は、足踏み等により所定時間当たりの動き量が大きくなる傾向にあり、逆に利用者が暑いと感じている場合には、利用者の所定時間当たりの動き量が減少する傾向にある。したがって、利用者の所定時間当たりの動き量に応じて、利用者の温度の感じ方、すなわち体感温度を推定できる。本実施の形態は、このような原理を利用している。重量センサ４４と、動き量演算手段４６とにより、動き量検出手段を構成している。
【００３９】
また、換気装置作動制御手段４８は、交流電源装置１２の停電等による電圧異常検出後であって、接続制御手段３６による第２オンオフスイッチ４０の制御後に、動き量演算手段４６により検出された所定時間当たりの動き量が閾値以下である場合に、換気装置１８を作動させた状態とし、交流電源装置１２の電圧異常検出後に動き量演算手段４６により検出された所定時間当たりの動き量が閾値を超える場合に、換気装置１８の風量を小さくするかまたは換気装置１８を停止させるように、換気装置１８の作動状態を制御する。例えば、第２オンオフスイッチ４０が接続されることにより、換気装置１８は作動状態となり、第２オンオフスイッチ４０が接続遮断されることにより、換気装置１８は作動停止状態となる。また、換気装置１８に設けたモータを駆動する図示しないインバータの駆動を、換気装置作動制御手段４８により制御することにより、換気装置１８の風量を複数段階で小さくできる。
【００４０】
なお、動き量演算手段４６により検出された所定時間当たりの動き量が閾値以下である場合に、換気装置１８の風量を増大させることもできる。この場合には、換気装置作動制御手段４８が、換気装置１８に設けたモータを駆動する図示しないインバータの駆動を制御することにより、換気装置１８の風量を複数段階で増大させる。
【００４１】
次に、本実施の形態のシステムを用いて換気装置１８の作動状態を制御する方法を、図６のフローチャートを用いて説明する。なお、以下の説明では、図４，５に示した要素と同一の要素には同一の符号を付して説明する。まず、ステップＳ３０（以下の説明では、ステップＳは、単にＳとする。）において、上記の図３のフローチャートにおいて、Ｓ１０からＳ１８またはＳ２０までの工程を行い、Ｓ１８またはＳ２０に移行したか否かを判定する。Ｓ１８またはＳ２０に移行した、すなわち停電等により交流電源装置１２の出力電圧の異常があり、第１の実施の形態と同様の処理を行ったと判定された場合には、Ｓ３２に移行する。Ｓ３２では、予め設定した休止時間を計測し、休止時間を経過した場合にＳ３４に移行する。なお、Ｓ３２の工程を省略することもできる。
【００４２】
Ｓ３４では、重量センサ４４の検出値から、コントローラ２２が乗りかご１６内に利用者が乗っているか否かを判定する。乗りかご１６内に利用者が乗っていない、すなわち空であると判定された場合には、接続制御手段３６により第２オンオフスイッチ４０の接続を遮断し、処理を終了する。
【００４３】
これに対して、Ｓ３４で、乗りかご１６内に利用者が乗っていると判定された場合には、Ｓ３８で、重量センサ４４と動き量演算手段とにより、乗りかご１６内の利用者の予め設定した所定時間当たりの動き量を検出する。次いで、Ｓ４０で、所定時間当たりの利用者の動き量、すなわち重量変動が閾値を超えたか否かを判定する。この判定により、重量変動が閾値を超えたと判定された場合には、Ｓ４２で、換気装置作動制御手段４８は、利用者が「寒い」と感じていると判定し、Ｓ４４で、換気装置１８の風量を複数段階の各段階ずつ低下させたり、換気装置１８の作動を停止させるように、換気装置１８または第２オンオフスイッチ４０を制御し、Ｓ４６に移行する。換気装置１８の風量を低下させるか、または換気装置１８の作動を停止させるかは、予めコントローラ２２で設定しておく。なお、換気装置作動制御手段４８は、換気装置１８の風量を低下させる場合に、ある所定量以下に風量が低下した場合に、換気装置１８の作動を停止する制御に移行させることもできる。また、Ｓ４２で「寒い」と判定された場合に、その時点で換気装置１８が停止されている場合には、換気装置作動制御手段４８は、換気装置１８の作動停止状態をそのまま維持するように制御する。例えば、図７は、重量センサ４４で検出される利用者の重量変動の時間的変化を示している。図７の所定時間ｔ１，ｔ２，ｔ３において、ｔ１，ｔ２では重量変動の幅は閾値Ａ以下であるが、ｔ３では、閾値Ａを越えているため、利用者が「寒い」と感じていると判定する。
【００４４】
これに対して、Ｓ４０で、所定時間当たりの利用者の動き量、すなわち重量変動が閾値以下である（例えば、図７のｔ１，ｔ２に対応する場合）と判定された場合には、Ｓ５０で、換気装置作動制御手段４８は、利用者が「快適」か、または「暑い」と感じていると判定し、Ｓ５２で、換気装置１８の作動させた状態を維持、または換気装置１８が作動停止している場合には作動を開始させるように、第２オンオフスイッチ４０を制御し、Ｓ４６に移行する。
【００４５】
Ｓ４６では、電圧監視装置２４が交流電源装置１２の出力電圧が正常に復帰したか、すなわち停電等、異常な状態が終了したか否かを判定し、正常な状態に復帰したと判定された場合には、Ｓ４８で換気装置１８の通常制御に移行する。これに対して、Ｓ４６で出力電圧がまだ正常状態に復帰していないと判定された場合には、Ｓ３８に戻り、Ｓ３８からＳ４６までの処理を繰り返す。この場合、Ｓ４６からＳ３８に戻るまでの間に、予め設定した休止時間を計測し、休止時間を経過した場合にＳ３８に移行する工程を追加することもできる。
【００４６】
このような本実施の形態によれば、第１の実施の形態と同様に、停電前の換気状態を停電後の換気装置１８の作動状態に反映させることができ、停電発生時でも停電直前の環境に近い快適な環境を乗りかご１６内の利用者に提供できるとともに、乗りかご１６内の利用者の動き量に基づいて、換気装置１８の作動状態を制御するため、停電後の利用者の温度の感じ方に換気装置１８の作動状態を対応させることができ、より快適な環境を提供できる。その他の構成及び作用は、上記の第１の実施の形態と同様であるため、同等部分には同一符号を付して重複する説明を省略する。
【００４７】
なお、本実施形態では、接続手段を第２オンオフスイッチ４０とし、第１の実施の形態では、接続手段を切換スイッチ２０としているが、これら実施の形態では、接続手段として互いに逆の構成を採用することもできる。
【符号の説明】
【００４８】
１０  エレベータかご内換気制御システム、１２  交流電源装置、１４  バッテリ、１６  乗りかご、１８  換気装置、２０  切換スイッチ、２２  コントローラ、２４  電圧監視装置、２６  交直変換器、２８  操作部、３０  切換接点、３２  記憶手段、３４  正常時作動状態取得手段、３６  接続制御手段、３８  オンオフスイッチ、４０  第２オンオフスイッチ、４２  切換接点、４４  重量センサ、４６  動き量演算手段、４８  簡易装置作動制御手段。
【図１】
2011121767.tif 000003
【図２】
2011121767.tif 000004
【図３】
2011121767.tif 000005
【図４】
2011121767.tif 000006
【図５】
2011121767.tif 000007
【図６】
2011121767.tif 000008
【図７】
2011121767.tif 000009